【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
長手方向軸と近位端と遠位端とを有するハンドルと、
穴を含み前記ハンドルに対して回転自在なノブを備えた前記ハンドルの前記近位端に隣接する第１結合機構と、
近位端および遠位端を有するブレード部材とを含み、
前記ブレード部材が結合要素を含み、前記結合要素が前記第１結合機構と連結する形状および寸法である、外科用開創器。
【請求項２】
前記ノブの穴が、前記長手方向軸に対して斜めに横切る穴である、請求項１に記載の開創器。
【請求項３】
前記ノブが、ピンによって前記ハンドルに結合され、少なくとも前記ピンの一部が前記穴に接している、請求項２に記載の開創器。
【請求項４】
前記穴が軸方向穴を形成し、前記ピンが前記ノブの回転軸を形成し、前記ノブが前記回転軸周りで回転可能である、請求項３に記載の開創器。
【請求項５】
前記穴が前記ノブの第１外面から第２外面まで延びる、請求項４に記載の開創器。
【請求項６】
前記穴が前記ブレード部材の前記結合要素に係合する形状および寸法である、請求項１から５のいずれかに記載の開創器。
【請求項７】
前記結合要素がシャフトを含む、請求項６に記載の開創器。
【請求項８】
前記シャフトおよび前記穴が、前記穴内部で前記シャフトを解除可能に前進させるために螺合するねじ部を含む、請求項７に記載の開創器。
【請求項９】
前記ハンドルが開口を含み、前記開口が前記ノブを受ける形状および寸法である、請求項８に記載の開創器。
【請求項１０】
前記ハンドルが前記ブレード部材を支持するための表面を含む、請求項１から９のいずれかに記載の開創器。
【請求項１１】
前記表面が湾曲部を含む、請求項１０に記載の開創器。
【請求項１２】
前記湾曲部が凹形である、請求項１１に記載の開創器。
【請求項１３】
前記表面が、前記ブレード部材の一部とほぼ一致する形状および寸法の輪郭を有する、請求項１０から１２のいずれかに記載の開創器。
【請求項１４】
前記ブレード部材が、前記ハンドルの一部とほぼ一致する形状および寸法の輪郭を有する、請求項１から１３のいずれかに記載の開創器。
【請求項１５】
前記ブレード部材が、長手方向軸と、前記ブレード部材の前記長手方向軸に沿って横向きの陥凹部を画成する輪郭とを有する、請求項１から１４のいずれかに記載の開創器。
【請求項１６】
前記ブレード部材が、前記ブレードの前記遠位端に隣接する開口を含む、請求項１から１５のいずれかに記載の開創器。
【請求項１７】
前記開口が、前記開口内に整形外科用インプラントおよび外科用器具のいずれかを通すことのできる形状および寸法である、請求項１６に記載の開創器。
【請求項１８】
前記外科用器具がトロカール、カニューレ、インプラントドライバ、ドリル、スクリュドライバ、およびシリンジのいずれかである、請求項１７に記載の開創器。
【請求項１９】
前記インプラントが、締結具、スクリュ、および骨腔充填材のいずれかである、請求項１７または１８に記載の開創器。
【請求項２０】
前記ブレード部材の前記遠位端が、前記開創器ブレードを骨に対して安定させるための構造を含む、請求項１から１９のいずれかに記載の開創器。
【請求項２１】
前記ブレード部材の前記遠位端が「Ｃ」字形または「Ｌ」字形のいずれかである鈎形を含む、請求項１から２０のいずれかに記載の開創器。
【請求項２２】
前記ハンドル上に配置され、第２の外科用機器を前記ハンドルに結合するための第２結合機構をさらに含む、請求項１から２１のいずれかに記載の開創器。
【請求項２３】
前記第２結合機構が結合部材を含む、請求項２２に記載の開創器。
【請求項２４】
前記結合部材が前記ハンドルの前記近位端付近に配置されている、請求項２３に記載の開創器。
【請求項２５】
前記結合部材が前記ハンドル内部で受け入れられる形状および寸法である、請求項２３または２４に記載の開創器。
【請求項２６】
前記結合部材が前記ハンドル内部で入れ子式に受け入れられる、請求項２５に記載の開創器。
【請求項２７】
前記結合部材が前記ハンドルと接触していない、請求項２４から２６のいずれかに記載の開創器。
【請求項２８】
前記結合部材が第２部材と接触しており、前記第２部材が前記ハンドルに接触している、請求項２７に記載の開創器。
【請求項２９】
前記結合部材および前記第２部材が、前記第２の外科用機器を前記ハンドルに固定させるように可動に連結している、請求項２８に記載の開創器。
【請求項３０】
前記結合部材が、前記第２部材に対して移動できる形状および寸法である、請求項２９に記載の開創器。
【請求項３１】
前記結合部材が、前記第２の外科用機器の一部を受け入れるように適合させた内面を有する陥凹部を含む、請求項３０に記載の開創器。
【請求項３２】
前記陥凹部が、前記第２の外科用機器の一部を前記結合部材に対して固定するように適合させた表面を含む、請求項３１に記載の開創器。
【請求項３３】
前記第２結合機構が、前記結合機構の前記ハンドルに対する動きを制御するためのノブを含む、請求項２３から３２のいずれかに記載の開創器。
【請求項３４】
前記第２結合機構のノブが前記ハンドルに連結されている、請求項３３に記載の開創器。
【請求項３５】
前記第２結合機構のノブが、前記ノブを前記ハンドルに固定するためのフランジ部材を含む、請求項３４に記載の開創器。
【請求項３６】
前記第２結合機構のノブが穴を含み、前記穴が前記結合部材と連結する形状および寸法である、請求項３３から３５のいずれかに記載の開創器。
【請求項３７】
前記第２結合機構の穴および前記結合部材が、前記ノブと前記結合部材の間の相対動作を制御するように可動に連結している、請求項３６に記載の開創器。
【請求項３８】
前記穴および前記結合部材が螺合するねじ部を有する、請求項３７に記載の開創器。
【請求項３９】
長手方向軸と近位端と遠位端と開口とを有するハンドルと、
前記ハンドルに対して回転自在であり、前記ハンドルの前記近位端に近接する第１結合機構と、
前記ハンドルの近位端に近接する第２結合機構であって、貫通する孔と少なくとも前記ハンドルの開口内を軸方向に移動することのできる部位を備え、前記貫通する孔は外科用機器を受け入れる形状および寸法である第２結合機構と、
近位端および遠位端を有するブレード部材であって、前記ブレード部材はブレード部材の前記近位端に近接する結合要素を含み、前記結合要素が前記第１結合機構と連結する形状および寸法であるブレード部材、
とを含む外科用開創器。
【請求項４０】
前記第２結合機構は、前記ハンドル内に入れ子式に受け入れられるクランプ部材を含む、請求項３９に記載の開創器。
【請求項４１】
前記クランプ部材は前記ハンドルに接していない、請求項３９または４０に記載の開創器。
【請求項４２】
前記クランプ部材が第２部材と接触している、請求項３９から４１のいずれかに記載の開創器。
【請求項４３】
前記第２部材が前記ハンドルと接している、請求項３９から４２のいずれかに記載の開創器。
【請求項４４】
前記クランプ部材および第２部材は、前記外科用機器を前記ハンドルに固定させるように互いに可動に連結している、請求項３９から４２のいずれかに記載の開創器。
【請求項４５】
前記クランプ部材は前記外科用機器の一部を受け入れるように適合させた陥凹部を含み、該陥凹部は前記外科用機器の少なくとも一部を前記第２部材に対してクランプするように適合させた内面を含む、請求項４４に記載の開創器。